(57)【特許請求の範囲】
【請求項１】
左右に適宜隔てて配置した複数本の縦フレームと、該隣接する縦フレーム間を上下に適宜隔てて連結した複数本の横フレームとからなり、
前記縦フレーム及び横フレームのうち少なくとも横フレームには、係合手段の一つとして、その上下両面の各幅方向の中心に、前記左右に隣合った２本の縦フレームと上下に隣合った２本の横フレームとで囲われた枠空間に着脱自在可能に装着されるパネル装置と係合するための、センター係合溝を設け、
前記パネル装置は、薄板パネルの左右両側端に、上下長手の端キャップ体が被嵌され、 この両端キャップ体の下端に前記横フレームのセンター係合溝に嵌め入れられる突起を設けるとともに、前記両端キャップ体の上端に前記横フレームのセンター係合溝に弾性的に係止する係合爪を設けたことを特徴とする枠状家具。
【請求項２】
前記センター係合溝を、前記枠空間の表裏両面に装着された２つのパネル装置の前記突起同士と前記係合爪同士が、それぞれ係合できる大きさに形成したことを特徴とする請求項１に記載の枠状家具。
【請求項３】
左右に適宜隔てて配置した複数本の縦フレームと、該隣接する縦フレーム間を上下に適宜隔てて連結した複数本の横フレームとからなり、
前記縦フレーム及び横フレームのうち少なくとも横フレームには、係合手段の一つとして、その前後両面に、上下に配置された２本の横フレームの間に装着されるスクリーンパネルと係合するために、上下中心線を挟んだ対称形状の蟻溝状のフロント係合溝が形成され、
前記スクリーンパネルは、その上端に横長の上部鉤体と、その下端にコイルバネを介して連結されるハンドル付きの下部係止体とをそれぞれ備え、前記上部鉤体が上方に位置する横フレームの前記フロント係合溝に係合されるとともに、前記下部係止体は下方に位置する横フレームの前記フロント係合溝に、前記ハンドルによる回動で係脱可能に取り付けられることを特徴とする枠状家具。
【発明の詳細な説明】
【０００１】
【発明の属する技術分野】
本発明は、スケルトン（骨組み）型の枠状家具の構成に関するものである。
【０００２】
【従来の技術と発明が解決しようとする課題】
従来から、物品載置台の裏面に展示用棚枠として骨組みだけの枠体の下部を連結して立設した、組み合わせ家具が知られている。
【０００３】
このような展示用家具は、当該家具の裏面側を室内の壁面に接近させて配置することが多く、商品のディスプレイ効果のみを追求するものであった。
【０００４】
ところで、最近の事務所（オフィス）では、室の中央などの広い空間内に複数の机を任意の向きに配置することが多くなっており、その場合に、前記机の背面側に書類やＯＡ機器を載置するための自立型の家具の要望が多くなってきた。従来の書類入れとしてのキャビネット等の箱状の家具では、その背面側からの物品の出し入れが不可能であるし、その種の家具の背面の美観も悪いという問題があった。
【０００５】
本願発明は、この現状を改善することを目的とするものである。
【０００６】
【課題を解決するための手段】
上記目的を達成するため、請求項１の発明に係る枠状家具は、左右に適宜隔てて配置した複数本の縦フレームと、該隣接する縦フレーム間を上下に適宜隔てて連結した複数本の横フレームとからなり、前記縦フレーム及び横フレームのうち少なくとも横フレームには、係合手段の一つとして、その上下両面の各幅方向の中心に、前記左右に隣合った２本の縦フレームと上下に隣合った２本の横フレームとで囲われた枠空間に着脱自在可能に装着されるパネル装置と係合するための、センター係合溝を設け、前記パネル装置は、薄板パネルの左右両側端に、上下長手の端キャップ体が被嵌され、この両端キャップ体の下端に前記横フレームのセンター係合溝に嵌め入れられる突起を設けるとともに、前記両端キャップ体の上端に前記横フレームのセンター係合溝に弾性的に係止する係合爪を設けたことを特徴とするものである。
【０００７】
そして、請求項２に記載の発明は、請求項１に記載の枠状家具において、前記センター係合溝を、前記枠空間の表裏両面に装着された２つのパネル装置の前記突起同士と前記係合爪同士が、それぞれ係合できる大きさに形成したものである。
また、請求項３の発明に係る枠状家具は、左右に適宜隔てて配置した複数本の縦フレームと、該隣接する縦フレーム間を上下に適宜隔てて連結した複数本の横フレームとからなり、前記縦フレーム及び横フレームのうち少なくとも横フレームには、係合手段の一つとして、その前後両面に、上下に配置された２本の横フレームの間に装着されるスクリーンパネルと係合するために、上下中心線を挟んだ対称形状の蟻溝状のフロント係合溝が形成され、前記スクリーンパネルは、その上端に横長の上部鉤体と、その下端にコイルバネを介して連結されるハンドル付きの下部係止体とをそれぞれ備え、前記上部鉤体が上方に位置する横フレームの前記フロント係合溝に係合されるとともに、前記下部係止体は下方に位置する横フレームの前記フロント係合溝に、前記ハンドルによる回動で係脱可能に取り付けられることを特徴とするものである。
【０００８】
【発明の実施形態】
次に、本発明を具体化した実施形態を図面に基づいて説明する。図１は本発明に係る枠状家具の前側に机を配置した使用状態を示す斜視図、図２は枠状家具の正面図、図３（ａ）は枠状家具の側面図、図３（ｂ）は平面図、図４は縦フレームと横フレームとの連結部を示す図、図４は隣接する２つの枠状家具における縦フレーム同士の上部連結構造を示す分解斜視図、図６は、上下の横フレーム間に着脱自在に装着した状態のパネル装置の断面図、図７はパネル装置の裏面図、図８（ａ）〜図８（ｃ）はパネル装置における端キャップ体の要部を示す図、図９（ａ）はスクリーンパネルの取付け状態を示す断面図、図１０〜図１１は脚体を示す図である。
【０００９】
図１に示すように、枠状家具１は、脚体６６により自立できるものであって、机２の背面側に配置されて、机２の前側から、枠状家具１の高さ方向の中途部に設けた棚板７１上の物品に手が届くようになっており、必要に応じて枠状家具１の背面（裏側）にも棚板７１を設けることができるものである。
【００１０】
枠状家具１は、左右に配置した縦フレーム４と、左右の縦フレーム４の上端間、下端間、及び高さの中間箇所（複数箇所）をそれぞれ接続する横フレーム５とにより骨組みが構成されており、上下左右のフレームで囲われた枠空間６はそのままであっても良いし、後述するようにパネル装置１０を着脱自在に装着することができる。なお、パネル装置１０とは、枠空間に配置されるものを総称するものであり、素材や形状、厚さ、密度、透光性などの性状は問わない。従って、化粧鋼板、クロス張り鋼板、透明又は半透明の樹脂板（例えばアクリル板）やガラス板のような中厚板パネル、スクリーン状のものや紙状のもの、メッシュ状のもの、すだれ状のもの、或いはブラインドなども含まれる。
【００１１】
次に、図４及び図５に基づいて、縦フレーム４の断面構造及び枠状家具１を左右に連結したい場合に隣接する２つの縦フレーム４、４同士の連結構造を説明する。各縦フレーム４は金属の押し出し加工品であり、従って、基本的に全長にわたって同一断面形状であり、部分的に加工を施している。各縦フレーム４は、前後両面７ａと内面（枠空間６に面した面）７ｂとが円弧状曲面７ｃを介して連続しており、全体として断面略台形状で中空状に形成されている。そして、その外面７ｄには、アウター係合溝９が形成されている。アウター係合溝９は、その開口部に２条のリップ９ａ，９ａを備えて蟻溝に形成されている。
【００１２】
縦フレーム４の内面７ｂには、当該内面７ｂの幅方向の前後両端には、縦フレーム４の長さ方向に沿って、幅が小さく且つ高さが低い一対の突条１１、１１が形成されており、この一対の突条１１、１１を挟んで内面７ｂに各横フレーム５の端部がきっちり嵌まるようになっている。また、内面７ｂの幅方向の中央部に、断面略矩形状のインナー係合溝１２が形成されており、このインナー係合溝１２には、後述するようにパネル類１０を着脱自在可能に装着する。しかして、インナー係合溝１２は請求項における係合手段の一例である。
【００１３】
図４に示すように、横フレーム５の前後幅寸法Ｌ２が縦フレーム４の前後幅寸法Ｌ１よりも小さいため、キャビネット本体１を縦フレーム４の前面７ａにぴったり重ねた状態でも、横フレーム５とキャビネット本体１の背面との間にはコード類やケーブル類を挿通できる配線可能空間（隙間）Ｌ３が空くことになる。
【００１４】
各横フレーム５は縦フレーム４にねじ１４で締結されている（図４参照）。縦フレーム４のアウター係合溝９の底面には、ねじ１４とドライバーとを挿入するための穴１５が空いている。
【００１５】
縦フレーム４の前後両面７ａには縦長の蟻溝１８が形成されており、この蟻溝１８の底面には、後述する棚板７１を支持するため等のブラケット７２を係止するための係止孔１９が縦フレーム４の長さ方向に一定間隔（適宜間隔）Ｈ１にて穿設されている（図５参照）。
【００１６】
各縦フレーム４は同一断面形状であり、かつ、２本の縦フレーム４の前後逆向きにして重ねると互いに嵌合して前後ずれ不能に保持されるように、外面７ｄには断面凹凸状の縦溝２０ａと凸状２０ｂとが形成されている。
【００１７】
縦フレーム４の上面には合成樹脂製のキャップ２１が着脱可能に装着される（図６参照）。
【００１８】
次に、枠状家具１、１同士の連結構造について、図５に基づいて説明すると、背中合わせに隣接させた２本の縦フレーム４、４の下端の相互間は下部連結体２３で連結され、上部の相互間は上部連結体２４で連結されている。まず、下部の連結構造について説明する。
【００１９】
下部連結体２３は、一方の縦フレーム４のアウター係合溝９に下方からきっちり嵌入する第１挿入部２３ａと、他方の縦フレーム４のアウター係合溝９に下方からきっちり嵌入する第２挿入部２３ｂとを備えている。
【００２０】
本例では、第２挿入部２３ｂの高さは低くなっており、かつ、第２挿入部２３ｂには段部２３ｃを形成している。また、他方の縦フレーム４におけるアウター係合溝９の下端部に開口部は、下部連結体２３の段部２３ｃに対応した切欠き部（図示せず）が設けられ、この下部連結体２３と前記のアジャスタボルト２２のための底板に連結支持されている。
【００２１】
上部連結体２４は、一方の縦フレーム４のアウター係合溝９に上方から嵌まる第１クランプ体２５と、他方の縦フレーム４のアウター係合溝９に上方から嵌まる第２クランプ体２６と、これらを締結するボルト（六角穴付きボルト）２９とから成っている。
【００２２】
両クランプ体２５，２６には、アウター係合溝９から横向きに抜けないようにひれ部２５ａ，２６ａが形成されている。また、第２クランプ体２６に設けた一対の凸部２６ｂ、２６ｂが一方の縦フレーム４のアウター係合溝９にきっちり嵌まるようになっており、かつ、第２クランプ体２６の凸部２６ｂ、２６ｂの間に形成された凹所２６ｃに、第１クランプ体２５に設けた突起２５ｂがきっちり嵌合している。
【００２３】
更に、第２クランプ体２６にはボルト挿入穴２７が空いており、他方、第１クランプ体２５の突起２５ｂにはねじ穴２８が空いている。
【００２４】
このとき、第１クランプ体２５の突起２５ｂの上面を正面視で斜め下向きの傾斜面２５ｃとなし、この傾斜面２５ｃにねじ穴２８を開口させる一方、第２クランプ体２６における凹所２６ｃ内に、正面で前記第１クランプ体２５の傾斜面に重なる平板状の傾斜板部２６ｄを設け、この傾斜板部２６ｄにボルト挿入穴２７を設ける。
【００２５】
他方の縦フレーム４におけるアウター係合溝９の底部は、前記第２クランプ体２６が嵌まってボルト２９の頭に干渉しないように若干の寸法だけ上向きに切り開き形成された切り開き部３０が設けられている。
【００２６】
両クランプ体２５，２６は、離反しないようにボルト２９で仮止めしておく。そして、ユニット同士を連結するには、隣合った縦フレーム４を背中合わせで先に下部を下部連結体２３及び底板で連結して後、両縦フレーム４のアウター係合溝９にそれぞれクランプ体２５，２６を挿入し、次いで、正面視で傾斜状の姿勢にした六角レンチをボルト２９の頭に嵌め入れて、ボルト２９をねじ込む。これにより、両縦フレーム４、４はその上部において強固に締結される。
【００２７】
次に、図６及び図９に基づいて、横フレーム５の構造を説明する。横フレーム５の上下両面には、幅方向の中心に、断面コ字状のセンター係合溝３１が設けられており、また、横フレーム５の四隅には円弧状に面取りされた面取り部３２を有する。更に、横フレーム５の前後両面には、上下中心線を挟んだ対称形状の蟻溝状のフロント係合溝３３が形成されている。これら各係合溝３１，３３は請求項に記載した係合手段の一例である。
【００２８】
横フレーム５の内部には、その中心線に沿って延びる断面円弧状のねじ込み用溝３４が形成されており、既述のとおり、このねじ込み用溝３４にねじ込んだねじ１４により、縦フレーム４と横フレーム５とが締結されている（図４参照）。上述の説明より明らかなように、各横フレーム５は同じ大きさ及び同じ断面形状であり、且つ、上下対称形及び左右対称形状になっている。従って、各横フレームに同じ素材を方向性のない状態で使用できる。
【００２９】
次に、図６〜図９を参照して、パネル装置１０の態様を説明する。図６〜図８は、任意の枠空間６に張設できるクロス張り金属板製や化粧鋼板製の薄板パネル３６の例であって、その外面が横フレーム５と略同一面をなすように配置されるものである。薄板パネル３６は、板厚が略０．３ｍｍ程度であってその上下両端縁を裏面側に屈曲（折り返し）させた屈曲縁部３８、３８が備えられており、薄板パネル３６の左右両側端には、合成樹脂製の端キャップ体３７、３７を被嵌させる。その場合、各端キャップ体３７は、縦フレーム４の内面７ｂに沿って延びる端板３７ａと、該端板３７ａから薄板パネル３６の平板部３６ａの裏面に沿って延びて当該平板部３６ａの裏面を支持する支持板部３７ｂと、該支持板部３７ｂと平行な裏板部３７ｃとからなり、支持板部３７ｂと裏板部３７ｃとは、適宜間隔にて、補強リブ３９に連結されている。従って、端キャップ体３７の少なくとも上下中途部では端板３７ａと支持板部３７ｂと裏板部３７ｃとにより筒状に成っている。前記端板３７ａの前端には、支持板部３７ｂとの間に、薄板パネル３６の平板部３６ａの厚さに相当する凹溝４０が薄板パネル３６の上下寸法に相当する長さにわたって形成されている。
【００３０】
図８（ａ）に示すように、薄板パネル３６の側端部を端キャップ体３７ａにて被嵌するように差し込むと、平板部３６ａの裏面は支持板部３７ｂの表面側の差し込み方向に長い突条部４１にて支持される一方、板パネル３６の側端縁は、前記凹溝４０に嵌まる。また、薄板パネル３６の上下屈曲縁部３８、３８の一部は裏板部３７ｃにて支持される（図８（ｃ）参照）ので、左右両側の端キャップ体３７、３７は薄板パネル３６と離れないように連結される。
【００３１】
このように構成されたパネル装置１０において、前記支持板部３７ｂの上端から上方向に突出するバネ板４３の先端に係合爪４４を設ける一方、支持板部３７ｂの下端から下向きに突出する突起４２を設けることにより、パネル装置１０をその左右両側の端キャップ体３７、３７の下端の突起４２を枠空間６のうち下側の横フレーム５における上向き開放状のセンター係合溝３１に嵌め入れた後、前記上端側の係合爪４４を横フレーム５のセンター係合溝３１に押し込むと、前記バネ板４３の付勢力に抗して、係合爪４４がセンター係合溝３１に弾性的に係止できるのである。
【００３２】
なお、前記枠空間６の表裏両面に前記パネル装置１０、１０を装着すれば（図６（ａ）参照）、枠状家具１の裏面側の美観が損なわれない。前記薄板パネル３６に代えて穴空き金属板パネル（パンチングメタルパネル）を使用することもできる。
【００３３】
図９（ａ）及び図９（ｂ）では、パネル装置として、布状やメッシュ状，或いはシート状等のスクリーンパネル５０を使用している。スクリーンパネル５０は単層構造でも良いし、複層構造でも良い。
【００３４】
スクリーンパネル５０の上端には、上側の横フレーム５のフロント係合溝３３に上方から引っ掛かり係合する横長の上部鉤体５１が一体に取付けられており、スクリーンパネル５０の下端には、横長の筒状の下部梁５２を固着し、該下部梁５２の中途部には、前記下部梁５２に回動可能に被嵌する連結体５３を、下部梁５２の長手方向に沿って１乃至複数個設け、この各連結体５３に連結したコイルバネ等の弾性体５４の下端を、ハンドル５５付きの下部係止体５６に連結する。下部係止体５６における略矩形状の係止部５６ａを下側の横フレーム５のフロント係合溝３３に嵌め入れた後、ハンドル５５を回して係止部５６ａを縦長の姿勢に変更すれば、フロント係合溝３３から外れず、各下部係止体５６と弾性体５４の付勢力にて、スクリーンパネル５０を緊張状態に張設できる。前記ハンドル５５を回してフロント係合溝３３から外すことを至極容易にできる。
広い面積のスクリーンパネル５０を取付けることにより、映写用スクリーンパネルとして利用することも可能である。また、スクリーンパネル５０に模様を浮き上がらせるなど、様々のデザインを施すことも可能である。
【００３５】
枠状家具１を床面に独立して立設するための脚体構造６６の第１実施形態は、図２、図３（ａ）、図１０、図１１及び図１２に示すごとく、側面視略Ｓ字状の足体６７と縦フレーム４の下部に連結した横フレーム５にネジ６４を介して連結する連結片６８ａを備えた横梁６８と、足体６７の上部を縦フレーム４の係止孔１９に連結する連結ブラケット６９とからなり、この連結ブラケット６９は丸パイプ状の足体６７の裏面に中心角度略９０度の範囲にわたって溶接されて補強されこの円弧状部分が縦フレーム４における円弧状曲面７ｃに沿う。その連結ブラケット６９の一端には上下に複数の係止爪７０が備えられ、この係止爪７０を縦フレーム４の係止孔１９に嵌め入れて係止するものである。他方、横梁６８の後端に溶接固着された連結片６８ａは、図１２に示すごとく、縦フレーム４の係止孔１９に嵌め入れて係止するための係止爪６５を備える一方、縦フレーム４における円弧状曲面７ｃに沿う湾曲部を介して横フレーム５の外面に沿う平板部にてねじ６４止めするのである。
【００３６】
図１３（ａ）及び図１３（ｂ）は第２実施形態の脚体構造６６′を示し、この脚体構造６６′では、丸パイプ状の足体６７′と、横梁７８とからなり、足体６７′の上部と縦フレーム４との連結ブラケット６９の構成は、第１実施形態と同じであるが、足体６７′に前端が溶接された横梁７８は、その後端部７８ａが平面視で略Ｌ字状に屈曲されており、横フレーム５を前後から挟むようにした断面Ｌ字状の一対の固定金具７９、７９と横フレーム５との間に後端部７８ａを差し込み、ボルト８３にて締めつけて固定するのである。図示の実施形態では脚体構造６６′は枠状家具１の表裏に取付けられている。
【００３７】
なお、図示したように、脚体構造６６は左右両側の縦フレーム４、４の表裏両面に取付けられて枠状家具１が安定して自立できるものである。但し、複数の枠状家具１を、図示しないコーナ支柱や、係止孔１９に係合させた連結ブラケット（図示せず）を介して平面視でＬ字状に連結するときには、前記脚体構造を必要としないことはいうまでもない。
【００３８】
また、図１４に示す連結ブラケット７２の後端に設けた上下複数の係止爪７３、７３を両縦フレーム４、４の適宜高さ位置の係止孔１９、１９に係止し、前記枠状家具１における左右両側の縦フレーム４、４間に装架する棚板７１を、左右両側のブラケット７２、７２に対して着脱自在に配置できるように構成したものである。
【００３９】
図１５（ａ）及び図１５（ｂ）は、前記枠状家具１、６５に着脱自在に設けられる配線用受け樋７４を示し、横端面上向き開放の横長の樋体７５の両端に、取付けブラケット７６、７６を固定し、その後端に後向きに突出した上下複数の係止爪７７を両縦フレーム４、４の適宜高さ位置の係止孔１９に係止するものである。なお、樋体７５はパンチングパネルを使用しても良い。
【００４０】
以上、本発明の実施形態を説明したが、本発明は更に様々に具体化できる。例えば縦フレームや横フレームの断面形状は図示のものに限定はされず、様々の形状に変更できる。
【００４１】
また、上部横フレームと下部横フレームとは縦フレーム４と同じ前後厚さとして、中間横フレーム５だけを縦フレーム４よりも薄い寸法としても良い。上記各構成の枠状家具１の前面に配置した机２のうち、机天板２ａの背面側縁が左右両側の縦フレーム４、４の前面７ａに当接するようにしたときには、横フレーム５の前面との間に前記したように空間（隙間）Ｌ３ができるから、机天板２ａや棚板７１上に載置したコンピュータ、液晶等の表示装置、プリンタやファクシミリ等のＯＡ機器、電話機等の電気部品８０、８１に結線するコード類やケーブル類を簡単に挿通できることになる。
【００４２】
本発明においては、枠状家具１の背面側にも棚板７１を設けることより、この枠状家具を室内の途中や略中央に配置したとき、背面側を有効利用でき、且つ背面側の美観も損なわれないのである。
【００４３】
【発明の効果】
以上に詳述したように、請求項１の発明に係る枠状家具は、左右に適宜隔てて配置した複数本の縦フレームと、該隣接する縦フレーム間を上下に適宜隔てて連結した複数本の横フレームとからなり、前記縦フレーム及び横フレームのうち少なくとも横フレームには、係合手段の一つとして、その上下両面の各幅方向の中心に、前記左右に隣合った２本の縦フレームと上下に隣合った２本の横フレームとで囲われた枠空間に着脱自在可能に装着されるパネル装置と係合するための、センター係合溝を設けている。そして、前記パネル装置は、薄板パネルの左右両側端に、上下長手の端キャップ体が被嵌されているので、薄板パネルの板厚さが薄くても、その両側端部が端キャップ体で保護され、且つ、被嵌された端キャップ体によりパネル装置の剛性もアップする。また、この両端キャップ体の下端に前記横フレームのセンター係合溝に嵌め入れられる突起を設けるとともに、前記両端キャップ体の上端に前記横フレームのセンター係合溝に弾性的に係止する係合爪を設けたものであるから、薄板パネルに端キャップ体を被嵌するだけの簡単作業で、前記突起及び係合爪の装着もできることになる。
そして、この枠状家具を室内の任意の箇所にて自立させることができるので、縦フレームと横フレームとで囲まれた枠空間の存在のため、人の目線を遮ることの少ない、つまり見通しが良く素通し状態となり、室内の途中や略中央にこの枠状家具を配置しても、圧迫感を感じさせないようにする。換言すれば、解放感のある家具とすることができる。しかも、任意の高さ位置に棚板が配置できるから、大きい平面積の物品収納部を確保できて使い勝手も向上するという効果を奏する。
【００４４】
また、平面視において、縦フレームの前後面に対して横フレームが内部側に位置しているから、この枠状家具の前面（後面）に対して縦フレームに当接するように他の家具を配置したときにも、横フレームとの間に空間ができるから、コンピュータ、液晶等の表示装置、プリンタやファクシミリ等のＯＡ機器、電話機等の電気部品を載置したときには、前記隙間空間を利用して簡単に配線作業できるという効果を奏する。
さらに、ユーザーの好みにより、枠状家具に形成される複数の枠空間を遮る時には、係合手段を介してパネル装置を任意に取付けることができるという効果を奏する。
【００４５】
そして、請求項２に記載の発明は、請求項１に記載の枠状家具において、前記センター係合溝を、前記枠空間の表裏両面に装着された２つのパネル装置の前記突起同士と前記係合爪同士が、それぞれ係合できる大きさに形成したものであるから、枠空間の表裏両面にパネル装置を装着すれば、枠状家具の裏面側の美観が損なわれないという効果を奏する。
【図面の簡単な説明】
【図１】枠状家具の斜視図である。
【図２】枠状家具の正面図である。
【図３】（ａ）は枠状家具の側面図、（ｂ）は平面図である。
【図４】縦フレームと横フレームとの連結状態を示す拡大断面図である。
【図５】縦フレームの連結構造を示す分離斜視図である。
【図６】（ａ）は薄板パネルによるパネル装置の取付けを示す断面図、（ｂ）は端キャップ体の側面図である。
【図７】薄板パネルによるパネル装置の裏面図である。
【図８】（ａ）は図６のVIIa−VIIa線矢視で示す端キャップ体と薄板パネルとの分離断面図、（ｂ）は図６のVIIb−VIIb線矢視図、（ｃ）は端キャップ体の裏面要部拡大図である。
【図９】（ａ）はスクリーンパネル装置の断面図、（ｂ）は VIIIb−VIIIb 線矢視の一部のみを示す正面図である。
【図１０】第１実施形態の脚体構造の側面図である。
【図１１】脚体構造の平面図である。
【図１２】第１実施形態の脚体構造における横梁後端部を示す平面図である。
【図１３】（ａ）は第２実施形態脚体構造の一部切欠き側面図、（ｂ）は XIIIb−XIIIb 線矢視平面図である。
【図１４】棚の側面図である。
【図１５】（ａ）は配線用受け樋の一部切欠き平面図、（ｂ）は側面図である。
【符号の簡単な説明】
１  枠状家具
２  机
４  縦フレーム
５  横フレーム
６  枠空間
１０  パネル装置
１９  係止孔
１２  インナー係合溝
３１  センター係合溝
３６  薄板パネル
３７  端キャップ体
５０  スクリーンパネル
６６、６６′    脚体構造
６７、６７′  足体
６８  連結ブラケット
７０、７３、７７  係止爪
７１  棚板
７２  ブラケット
【図１】
0003939947.tif 000002
【図２】
0003939947.tif 000003
【図３】
0003939947.tif 000004
【図４】
0003939947.tif 000005
【図５】
0003939947.tif 000006
【図６】
0003939947.tif 000007
【図７】
0003939947.tif 000008
【図８】
0003939947.tif 000009
【図９】
0003939947.tif 000010
【図１０】
0003939947.tif 000011
【図１１】
0003939947.tif 000012
【図１２】
0003939947.tif 000013
【図１３】
0003939947.tif 000014
【図１４】
0003939947.tif 000015
【図１５】
0003939947.tif 000016